(57)【特許請求の範囲】
【請求項１】
車両を特定するための車両情報を配信する配信装置と、
前記車両情報を受信可能な携帯端末と、を有し、
前記携帯端末は、
通信部と、
自機の現在位置を検出する位置検出部と、
カメラで撮影された画像情報を記憶する記憶部と、
前記現在位置が捜索対象となる領域である場合、前記記憶部に記憶された前記画像情報に、前記車両情報に対応する車両が含まれていれば、予め設定された連絡先へ前記画像情報を前記通信部によって送信させる制御部と、
を有する通報システム。
【請求項２】
前記車両情報は、前記車両に該当する車体の色、車両登録番号のいずれかの情報を含む請求項１に記載の通報システム。
【請求項３】
前記画像情報は、静止画または動画、撮影場所、撮影日時、撮影者のいずれかを含む請求項１または２に記載の通報システム。
【請求項４】
前記携帯端末は、カメラをさらに備え、
前記制御部は、前記車両情報を受信したときに、前記カメラおよび前記画像情報を送信するための通報アプリケーションの少なくとも一方を起動させる請求項１から３のいずれか１項に記載の通報システム。
【請求項５】
前記制御部は、前記画像情報が前記通信部によって送信される前に、送信の可否をユーザへ確認するメッセージを出力する請求項１から４のいずれか１項に記載の通報システム。
【請求項６】
配信装置と、携帯端末とを有する通報システムの通報方法であって、
前記配信装置が車両を特定するための車両情報を配信するステップと、
前記携帯端末が前記車両情報を通信部によって受信するステップと、
前記携帯端末が位置検出部によって自機の現在位置を検出するステップと、
前記携帯端末がカメラによって撮影した画像情報を記憶部に記憶するステップと、
前記現在位置が捜索対象となる領域である場合、前記記憶部に記憶された画像情報に、前記車両情報に対応する車両が含まれていれば、前記携帯端末が予め設定された連絡先へ前記画像情報を前記通信部によって送信させるステップと、
を含む通報方法。
【請求項７】
配信装置が配信した車両を特定するための車両情報を受信する通信部と、
カメラと、
自機の現在位置を検出する位置検出部と、
前記カメラによって撮影された画像情報を記憶する記憶部と、
前記現在位置が捜索対象となる領域である場合、前記記憶部に記憶された前記画像情報に、前記車両情報に対応する車両が含まれていれば、予め設定された連絡先へ前記画像情報を前記通信部によって送信させる制御部と、
を有する携帯端末。
【発明の詳細な説明】
【技術分野】
【０００１】
本出願は、通報システム、通報方法および携帯端末に関する。
【背景技術】
【０００２】
従来、逃走車両を追跡する方法として、当該車両に関する情報を配信するものがある。例えば、特許文献１には、速度超過車両を監視装置で撮影した画像を配備中のパトロールカーに配備のデータ受信表示装置へ伝送し、即時追跡させる車両監視装置が開示されている。
【先行技術文献】
【特許文献】
【０００３】
【特許文献１】特開２００２−１５７６８１号公報
【発明の概要】
【発明が解決しようとする課題】
【０００４】
上記の車両に関する情報を配信する方法では、例えば、逃走車両の車両情報を一般公開して協力を求めることによって早期解決を図ることが期待されている。しかし、上記の方法には、車両に関する情報を受けた側から情報を提供させる技術に改善の余地がある。
【課題を解決するための手段】
【０００５】
１つの態様に係る通報システムは、車両を特定するための車両情報を配信する配信装置と、前記車両情報を受信可能な携帯端末と、を有し、前記携帯端末は、通信部と、カメラで撮影された画像情報を記憶する記憶部と、前記記憶部に記憶された前記画像情報に、前記車両情報に対応する車両が含まれていれば、予め設定された連絡先へ前記画像情報を前記通信部によって送信させる制御部と、を有する。
【０００６】
１つの態様に係る通報方法は、配信装置と、携帯端末とを有する通報システムの通報方法であって、前記配信装置が車両を特定するための車両情報を配信するステップと、前記携帯端末が前記車両情報を通信部によって受信するステップと、前記携帯端末がカメラによって撮影した画像情報を記憶部に記憶するステップと、前記携帯端末が前記記憶部に記憶された画像情報に、前記車両情報に対応する車両が含まれていれば、予め設定された連絡先へ前記画像情報を前記通信部によって送信させるステップと、を含む。
【０００７】
１つの態様に係る携帯端末は、配信装置が配信した車両を特定するための車両情報を受信する通信部と、カメラと、前記カメラによって撮影された画像情報を記憶する記憶部と、前記記憶部に記憶された前記画像情報に、前記車両情報に対応する車両が含まれていれば、予め設定された連絡先へ前記画像情報を前記通信部によって送信させる制御部と、を有する。
【図面の簡単な説明】
【０００８】
【図１】図１は、通報システムの例を示す図である。
【図２】図２は、画像情報の一例を示す図である。
【図３】図３は、車両情報の一例を示す図である。
【図４】図４は、車両情報に対応する車両の一部を含む画像情報の例を示す図である。
【図５】図５は、携帯端末の例を示すブロック図である。
【図６】図６は、配信装置の例を示すブロック図である。
【図７】図７は、携帯端末による車両情報の受信の例に係る処理手順を示すフローチャートである。
【図８】図８は、携帯端末によるカメラアプリケーションに係る処理手順の例を示すフローチャートである。
【図９】図９は、携帯端末による通報アプリケーションに係る処理手順の例を示すフローチャートである。
【図１０】図１０は、配信装置による配信の例に係る処理手順を示すフローチャートである。
【発明を実施するための形態】
【０００９】
本出願に係る通報システム、通報方法および携帯端末を実施するための複数の実施形態を、図面を参照しつつ詳細に説明する。
【００１０】
図１から図３を参照しながら、実施形態に係る通報システム１について説明する。図１は、通報システム１の例を示す図である。図１に示す通報システム１は、携帯端末３０ａ〜３０ｎと、配信装置５０とを有する。携帯端末３０ａ〜３０ｎと配信装置５０とは、ネットワーク９０を介して通信可能に構成される。ネットワーク９０は、例えば、無線ネットワーク、有線ネットワーク、またはそれらの組み合わせを含む。以下の説明では、携帯端末３０ａ〜３０ｎを、いずれであるかを特定することなく、携帯端末３０と呼ぶことがある。
【００１１】
携帯端末３０は、例えば、モバイルフォン、タブレット、携帯型パソコン、デジタルカメラ、スマートウォッチ、ヘッドマウントディスプレイ、メディアプレイヤ、電子書籍リーダ、ナビゲータ、及びゲーム機を含むが、これに限定されない。
【００１２】
携帯端末３０ａ〜３０ｎは、外部の通信装置から受信した情報をユーザに報知する機能を提供できる。携帯端末３０ａ〜３０ｎは、それぞれ、通信部６と、記憶部９とを備える。通信部６は、ネットワーク９０を介して情報の送受信ができるように構成されている。記憶部９は、画像情報Ｄ１を記憶することができる。画像情報Ｄ１は、例えば、携帯端末３０のユーザが自機で撮影した静止画および動画の少なくとも一方を含む。画像情報Ｄ１は、例えば、他の電子機器で撮影された静止画および動画の少なくとも一方を含んでもよい。
【００１３】
図２は、画像情報Ｄ１の一例を示す図である。図２に示す画像情報Ｄ１は、静止画または動画、撮影場所、撮影日時および撮影者といった項目を含む。静止画または動画の項目は、撮影された静止画または動画を示す情報を含む。撮影場所の項目は、撮影した場所を示す情報を含む。撮影者の項目は、撮影者に関する情報を含む。撮影者に関する情報は、例えば、撮影者の名前、連絡先等を示す情報を含む。本実施形態では、画像情報Ｄ１は、撮影者の項目を含む場合について説明するが、撮影者の項目は含まなくてもよい。
【００１４】
配信装置５０は、不特定多数の携帯端末３０に対して緊急通報を送信することができる。緊急通報は、例えば、誘拐、行方不明等の事件が発生したことを示す情報を含む。図１に示す例では、配信装置５０は、複数の携帯端末３０ａ〜３０ｎに緊急通報を送信している。配信装置５０は、複数の携帯端末３０ａ〜３０ｎのユーザから事件に関する情報を得るために、事件に関する情報を携帯端末３０ａ〜３０ｎに配信することができる。例えば、配信装置５０は、犯人、被害者および犯罪に用いられた車両等を特定するためのさまざまな情報を配信することができる。
【００１５】
図１に示す例では、配信装置５０は、車両を特定するための車両情報Ｄ５を複数の携帯端末３０ａ〜３０ｎに配信している。配信装置５０は、例えば、プッシュ通知機能を用いて車両情報Ｄ５を携帯端末３０ａ〜３０ｎに送信する場合について説明するが、これに限定されない。配信装置５０は、例えば、携帯端末３０ａ〜３０ｎからの送信要求に応じて車両情報Ｄ５を携帯端末３０ａ〜３０ｎに送信してもよい。
【００１６】
配信装置５０は、例えば、通信部５１と、記憶部５２とを備える。通信部５１は、ネットワーク９０を介して情報の送受信ができるように構成されている。記憶部５２は、配信装置５０が配信する車両情報Ｄ５を記憶することができる。車両情報Ｄ５は、例えば、逃走車両、犯罪に用いられた車両等を特定するための情報を含む。
【００１７】
図３は、車両情報Ｄ５の一例を示す図である。図３に示す車両情報Ｄ５は、例えば、車体の色、車両登録番号といった項目を含む。車体の色の項目は、車両の車体の色を示す情報を含む。車両登録番号の項目は、登録車両の一連指定番号、軽自動車などの車両番号を含む。車両登録番号の項目は、捜索対象である車両の車両登録番号が判明している場合は設定されてもよい。
【００１８】
車両情報Ｄ５は、例えば、対象領域、連絡先といった項目を含んでもよい。対象領域の項目は、捜索対象となる領域が規定されている場合に、当該領域を示す情報が設定される。連絡先の項目は、画像情報Ｄ１を送信する連絡先のアドレスを含む。車両情報Ｄ５は、例えば、車種、車両の画像等の情報をさらに含んでもよい。
【００１９】
配信装置５０は、事件が発生した場合に、当該事件に対応した緊急通報及び車両情報Ｄ５を生成する。配信装置５０は、ネットワーク９０を介して複数の携帯端末３０ａ〜３０ｎに緊急通報及び車両情報Ｄ５を送信する。配信装置５０は、例えば、緊急通報に車両情報Ｄ５を紐付けて個別に複数の携帯端末３０ａ〜３０ｎに送信してもよい。配信装置５０は、例えば、車両情報Ｄ５を含む緊急通報を複数の携帯端末３０ａ〜３０ｎに送信してもよい。配信装置５０は、例えば、車両情報Ｄ５のみを複数の携帯端末３０ａ〜３０ｎに送信してもよい。
【００２０】
携帯端末３０は、ネットワーク９０を介して配信装置５０から緊急通報を受信すると、受信した当該緊急通報をユーザに報知する。例えば、携帯端末３０は、緊急通報を表示することができる。例えば、携帯端末３０は、緊急通報を音声、警報音等で出力することができる。その結果、ユーザは、事件が発生したことを認識することができる。携帯端末３０は、配信装置５０から車両情報Ｄ５を受信すると、当該車両情報Ｄ５を記憶部９に記憶することができる。
【００２１】
携帯端末３０は、受信した車両情報Ｄ５を含む画像情報Ｄ１を記憶部９から検索する検索手段を含む。携帯端末３０は、例えば、画像認識機能を用いて、画像情報Ｄ１の画像に車両情報Ｄ５に対応する車両の少なくとも一部が含まれるかを解析する。画像は、例えば、静止画、動画を含む。画像認識機能は、画像と車両の特徴を示すパターンとを照らし合わせて、パターンと一致した画像の領域を車両と認識する機能を含む。パターンの一致とは、完全に一致している場合、所定の割合で一致している場合を含む。画像認識機能は、認識した車両の車体の色を認識する機能を含む。携帯端末３０は、記憶部９に画像情報Ｄ１が記憶されていない場合、車両情報Ｄ５に対応する車両を含む画像情報Ｄ１を検索しなくてもよい。
【００２２】
図４は、車両情報Ｄ５に対応する車両の一部を含む画像情報Ｄ１の例を示す図である。例えば、車両情報Ｄ５は、車体の色の項目に「白色」が設定されていたとする。この場合、携帯端末３０は、画像が白色の車両を示す領域を含んでいるかを解析する。図４に示す例では、画像情報Ｄ１の静止画は、人物の背後に白色の車両が写っている。携帯端末３０は、画像情報Ｄ１の静止画が白色の車両を示す画像を含むことを認識すると、当該画像情報Ｄ１を記憶部９から抽出する。このように、携帯端末３０は、記憶部９に記憶された画像情報Ｄ１に、車両情報Ｄ５に対応する車両が含まれているかを自動で判断することができる。
【００２３】
携帯端末３０は、例えば、画像認識機能を用いて、画像情報Ｄ１に含まれる車両のナンバープレートを解析することができる。画像認識機能は、画像からナンバープレートを検出する機能を含む。画像認識機能は、ナンバープレートの画像に含まれる文字及び数字を認識する機能を含む。
【００２４】
携帯端末３０は、画像情報Ｄ１からナンバープレートを認識すると、ナンバープレートに含まれる文字および数字を認識する。携帯端末３０は、認識したナンバープレートと車両情報Ｄ５のナンバープレートとの内容を対比する。携帯端末３０は、ナンバープレートの内容の一部または全てが一致している場合、当該ナンバープレートが写っている画像情報Ｄ１を記憶部９から抽出する。例えば、車両情報Ｄ５におけるナンバープレートの項目には、ナンバープレートの一連指定番号のみが設定されていたとする。携帯端末３０は、一連指定番号が一致するナンバープレート（車両）が写っている画像情報Ｄ１を記憶部９から抽出する。
【００２５】
携帯端末３０は、車両情報Ｄ５に対応する車両を含む画像情報Ｄ１を抽出すると、通信部６を介して、予め定められた連絡先に当該画像情報Ｄ１を自動で送信する。連絡先は、例えば、配信装置５０、警察または警備会社の通信装置等を含む。以下の説明では、連絡先は、配信装置５０である場合の例について説明する。
【００２６】
図１に示す例では、携帯端末３０ａは、車両情報Ｄ５に対応する車両を含む画像情報Ｄ１を記憶部９に記憶している。携帯端末３０ｂ〜３０ｎは、車両情報Ｄ５に対応する車両を含む画像情報Ｄ１を記憶部９に記憶していない。この場合、携帯端末３０ａは、車両情報Ｄ５に対応する車両を含む画像情報Ｄ１を緊急通報に紐付けて配信装置５０に送信する。この画像情報Ｄ１は、ネットワーク９０を経由して、配信装置５０に届く。携帯端末３０ｂ〜３０ｎは、車両情報Ｄ５に対応する車両を含む画像情報Ｄ１が存在しないので、画像情報Ｄ１を連絡先に送信しない。
【００２７】
このように、携帯端末３０は、配信装置５０から車両情報Ｄ５を受信すると、車両情報Ｄ５を含む画像情報Ｄ１を自動で記憶部９から抽出することができる。携帯端末３０は、記憶部９から抽出した画像情報Ｄ１を予め定められた連絡先に自動で送信することができる。例えば、ユーザが携帯端末３０の操作に疎い場合がある。このようなユーザは、携帯端末３０が車両情報Ｄ５を受信しても、当該車両情報Ｄ５に対応する車両を含む画像情報Ｄ１を記憶部９から探し出すことが困難な場合がある。例えば、ユーザが車両情報Ｄ５に対応する車両を含む画像情報Ｄ１を探さない場合もある。しかし、携帯端末３０は、ユーザが操作する必要がないので、ユーザを煩わせることなく、車両情報Ｄ５に対応する車両を含む画像情報Ｄ１を迅速に連絡先に送信することができる。
【００２８】
配信装置５０は、通信部５１を介して、携帯端末３０からの画像情報Ｄ１を受信することができる。図１に示す例では、配信装置５０は、携帯端末３０ａからの画像情報Ｄ１を受信すると、当該画像情報Ｄ１を緊急通報に紐付けて記憶部５２に記憶することができる。配信装置５０は、画像情報Ｄ１を受信したことを報知することができる。このように、通報システム１は、事件に関連しそうな画像情報Ｄ１を複数の携帯端末３０から収集することができる。その結果、通報システム１は、収集した画像情報Ｄ１に基づいて、事件の早期解決に貢献することができる。
【００２９】
図５は、携帯端末３０の例を示すブロック図である。図５に示す携帯端末３０は、表示部２と、操作部３と、通信部６と、レシーバ７と、マイク８と、記憶部９と、制御部１０と、スピーカ１１と、カメラ１２と、位置検出部１８とを有する。
【００３０】
表示部２は、表示パネルを含む。表示パネルは、液晶ディスプレイ（Ｌｉｑｕｉｄ  Ｃｒｙｓｔａｌ  Ｄｉｓｐｌａｙ）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙ）等を含む。表示部２は、制御部１０から入力される信号に応じて情報を表示できる。表示される情報は、文字、図形、画像等を含む。表示される情報には、報知のための画面、アイコン等を含む。
【００３１】
操作部３は、複数のデバイスを含む。複数のデバイスは、利用者の操作を受け付けることができる。複数のデバイスは、例えば、キー、ボタン、タッチスクリーン等を含む。操作部３は、受け付けた操作に応じた信号を制御部１０へ入力できる。
【００３２】
通信部６は、無線により通信できる。通信部６は、無線通信規格の少なくとも１つをサポートしてもよい。無線通信規格は、例えば、２Ｇ、３Ｇ、４Ｇ等のセルラーフォンの通信規格がある。セルラーフォンの通信規格は、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００（Ｃｏｄｅ  Ｄｉｖｉｓｉｏｎ  Ｍｕｌｔｉｐｌｅ  Ａｃｃｅｓｓ  ２０００）、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等を含む。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＺｉｇＢｅｅ、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）、Ｚ−Ｗａｖｅ、ＷｉＳｕｎ（Ｗｉｒｅｌｅｓｓ  Ｓｍａｒｔ  Ｕｔｉｌｉｔｙ  Ｎｅｔｗｏｒｋ）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等を含む。通信部６は、ＷｉＦｉ（登録商標）により近距離無線通信を行うこともできる。近距離無線通信の規格には、ＩＥＥＥ８０２．１１（ＩＥＥＥは、Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．の略称である）、Ｂｌｕｅｔｏｏｔｈ（登録商標）、ＺｉｇＢｅｅ、ＤＥＣＴ、Ｚ−Ｗａｖｅ、Ｗｉ−Ｓｕｎ等が含まれる。
【００３３】
レシーバ７及びスピーカ１１は、音を出力する出力部の１つの例である。レシーバ７及びスピーカ１１は、制御部１０から入力される音信号を音として出力できる。レシーバ７は、例えば、通話時に相手の声を出力するために用いてもよい。スピーカ１１は、例えば、着信音及び音楽を出力するために用いてもよい。レシーバ７及びスピーカ１１の一方が、他方の機能を兼ねてもよい。マイク８は、音を入力する入力部である。マイク８は、利用者の音声等を音信号へ変換して制御部１０へ入力できる。
【００３４】
記憶部９は、プログラム及びデータを記憶できる。記憶部９は、制御部１０の処理結果を一時的に記憶する作業領域としても利用してもよい。記憶部９は、記憶媒体を含む。記憶媒体は、半導体記憶媒体、及び磁気記憶媒体等の任意の非一過的（ｎｏｎ−ｔｒａｎｓｉｔｏｒｙ）な記憶媒体を含んでよい。記憶部９は、複数の種類の記憶媒体を含んでよい。記憶部９は、メモリカード、光ディスク、又は光磁気ディスク等の可搬の記憶媒体と、記憶媒体の読み取り装置との組み合わせを含んでよい。記憶部９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３５】
記憶部９は、例えば、制御プログラム９ａ、カメラアプリケーション９ｂ、通報アプリケーション９ｃ、設定データ９ｚ、及び画像情報Ｄ１を記憶できる。制御プログラム９ａは、携帯端末３０を稼働させるための各種制御に関する機能を提供できる。カメラアプリケーション９ｂは、カメラ１２により撮影するための撮影機能を提供できる。通報アプリケーション９ｃは、画像情報Ｄ１の通報に関する機能を提供できる。設定データ９ｚは、携帯端末３０の動作に関する各種の設定に関する情報を含む。
【００３６】
制御プログラム９ａが提供する機能は、例えば、通信部６、位置検出部１８等の制御を含む。制御プログラム９ａが提供する機能は、通信部６で受信した緊急通報を通知する機能を含む。制御プログラム９ａが提供する機能は、他のアプリケーションの起動を制御する機能を含む。制御プログラム９ａが提供する機能は、他のプログラムが提供する機能と組み合わせて利用してもよい。
【００３７】
カメラアプリケーション９ｂが提供する機能は、例えば、静止画または動画で撮影する機能を含む。通報アプリケーション９ｃが提供する機能は、例えば、車両情報Ｄ５に対応する車両を含む画像情報Ｄ１を検索する機能を含む。通報アプリケーション９ｃが提供する機能は、例えば、車両情報Ｄ５に対応する車両を含む画像情報Ｄ１を連絡先に送信する機能を含む。なお、車両情報Ｄ５に対応する車両を含む画像情報Ｄ１を検索する機能は、制御プログラム９ａが提供する機能としてもよい。
【００３８】
設定データ９ｚは、例えば、緊急通報の対象領域を有効とするか否かを示す情報を含む。携帯端末３０は、対象領域が有効と設定されている場合、自機の現在位置が対象領域内であると、配信装置５０から受信した車両情報Ｄ５に対応する車両を含む画像情報Ｄ１を検索する。携帯端末３０は、対象領域が有効と設定されている場合、自機の現在位置が対象領域でないと、配信装置５０から受信した車両情報Ｄ５に対応する車両を含む画像情報Ｄ１を検索しない。携帯端末３０は、対象領域が無効と設定されている場合、自機の現在位置に関係なく、配信装置５０から受信した車両情報Ｄ５に対応する車両を含む画像情報Ｄ１を検索する。
【００３９】
制御部１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。ＳｏＣは、通信部６等の他の構成要素が統合されていてもよい。制御部１０は、携帯端末３０の動作を統括的に制御できる。各種の機能は、制御部１０の制御に基づいて実現される。
【００４０】
具体的には、制御部１０は、記憶部９に記憶されているプログラムに含まれる命令を実行できる。制御部１０は、記憶部９に記憶されているデータを必要に応じて参照できる。制御部１０は、データ及び命令に応じて機能部を制御する。制御部１０は、機能部を制御することによって、各種機能を実現する。機能部は、例えば、表示部２、通信部６、レシーバ７、及びスピーカ１１を含むが、これらに限定されない。制御部１０は、検出部の検出結果に応じて、制御を変更することがある。検出部は、例えば、操作部３、通信部６、マイク８、及び位置検出部１８を含むが、これらに限定されない。
【００４１】
制御部１０は、制御プログラム９ａを実行することにより、図１に示した通報方法における携帯端末３０の動作を実行する。
【００４２】
カメラ１２は、物体を撮影できる。カメラ１２は、静止画と動画で撮影できる。カメラ１２は、インカメラとアウトカメラを備えてもよい。
【００４３】
位置検出部１８は、携帯端末３０の現在位置を検出できる。位置検出部１８は、現在位置を検出するために、例えば、ＧＰＳ（Ｇｌｏｂａｌ  Ｐｏｓｉｔｉｏｎｉｎｇ  Ｓｙｓｔｅｍ）レシーバを有する。位置検出部１８は、通信部６が無線通信に用いる基地局に基づいて、現在位置を検出してもよい。位置検出部１８は、複数の方式を併用して、現在位置を検出してもよい。
【００４４】
表示部２及びスピーカ１１は、電話の着信、メールの受信、スケジュールに登録された時刻の到来、緊急通報等をユーザに報知するために用いられる。
【００４５】
図６は、配信装置５０の例を示すブロック図である。図６に示す配信装置５０は、通信部５１と、記憶部５２と、制御部５３と、表示部５４と、操作部５５とを有する。通信部５１は、ネットワーク９０を介して携帯端末３０と通信する。通信部５１は、無線通信方式をサポートしてもよいし、有線通信法方式をサポートしてもよい。通信部５１は、複数の通信方式をサポートしていてもよい。
【００４６】
記憶部５２は、プログラム及びデータを記憶できる。記憶部５２は、制御部５３の処理結果を一時的に記憶する作業領域としても利用してもよい。記憶部５２は、記憶媒体を含む。記憶媒体は、半導体記憶媒体、及び磁気記憶媒体等の任意の非一過的（ｎｏｎ−ｔｒａｎｓｉｔｏｒｙ）な記憶媒体を含んでよい。記憶部５２は、複数の種類の記憶媒体を含んでよい。記憶部５２は、メモリカード、光ディスク、又は光磁気ディスク等の可搬の記憶媒体と、記憶媒体の読み取り装置との組み合わせを含んでよい。記憶部５２は、ＲＡＭ（Ｒａｎｄｏｍ  Ａｃｃｅｓｓ  Ｍｅｍｏｒｙ）等の一時的な記憶領域として利用される記憶デバイスを含んでよい。
【００４７】
記憶部５２は、例えば、制御プログラム５２ａ及び車両情報Ｄ５を記憶できる。制御プログラム５２ａは、配信装置５０を稼動させるための各種制御に関する機能を提供できる。制御プログラム５２ａが提供する機能は、例えば、緊急通報および車両情報Ｄ５を複数の携帯端末３０ａ〜３０ｎに配信（送信）する機能を含む。制御プログラム５２ａが提供する機能は、例えば、車両情報Ｄ５に対応する車両を含む画像情報Ｄ１を１または複数の携帯端末３０から収集する機能を含む。記憶部５２は、携帯端末３０から収集した画像情報Ｄ１を緊急通報に紐付けて記憶してもよい。
【００４８】
表示部５４は、表示パネルを含む。表示パネルは、液晶ディスプレイ（Ｌｉｑｕｉｄ  Ｃｒｙｓｔａｌ  Ｄｉｓｐｌａｙ）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙ）等を含む。表示部５４は、制御部５３から入力される信号に応じて情報を表示できる。表示される情報は、文字、図形、画像等を含む。表示される情報には、携帯端末３０から受信した画像情報Ｄ１を含む。
【００４９】
操作部５５は、複数のデバイスを含む。複数のデバイスは、利用者の操作を受け付けることができる。複数のデバイスは、例えば、キー、ボタン、タッチスクリーン等を含む。操作部５５は、受け付けた操作に応じた信号を制御部５３へ入力できる。
【００５０】
以下、配信装置５０は、携帯端末３０から受信した画像情報Ｄ１を記憶部５２に記憶する場合について説明するが、これに限定されない。配信装置５０は、例えば、画像情報Ｄ１を外部の記憶装置に記憶してもよい。
【００５１】
制御部５３は、制御プログラム５２ａを実行することにより、図１に示した通報方法における配信装置５０の動作を実行する。
【００５２】
図７を参照しながら、配信装置５０から車両情報Ｄ５を受信した場合の携帯端末３０の処理手順について説明する。図７は、携帯端末３０による車両情報Ｄ５の受信の例に係る処理手順を示すフローチャートである。図７に示す処理手順は、携帯端末３０の制御部１０が制御プログラム９ａを実行することによって実現される。図７に示す処理手順は、配信装置５０からの車両情報Ｄ５の受信をリアルタイムに行う手順として説明する。なお、携帯端末３０は、この実施形態に限らず、車両情報Ｄ５の受信を所定時間おきに行うようにしてもよい。
【００５３】
図７に示すように、携帯端末３０の制御部１０は、ステップＳ１０１として、配信装置５０から車両情報Ｄ５を受信したかを判定する。具体的には、制御部１０は、ネットワーク９０を介して通信部６で車両情報Ｄ５を受信している場合に、車両情報Ｄ５を受信したと判定する。制御部１０は、車両情報Ｄ５を受信していないと判定した場合（ステップＳ１０１でＮｏ）、ステップＳ１０１の処理を繰り返す。制御部１０は、車両情報Ｄ５を受信したと判定した場合（ステップＳ１０１でＹｅｓ）、処理をステップＳ１０２に進める。
【００５４】
制御部１０は、ステップＳ１０２として、自機の設定は対象領域が有効かを判定する。具体的には、制御部１０は、設定データ９ｚにおける緊急通報の対象領域の設定が有効である場合に、対象領域が有効であると判定する。制御部１０は、対象領域が有効でないと判定した場合（ステップＳ１０２でＮｏ）、処理を後述するステップＳ１０５に進める。制御部１０は、対象領域が有効であると判定した場合（ステップＳ１０２でＹｅｓ）、処理をステップＳ１０３に進める。
【００５５】
制御部１０は、ステップＳ１０３として、位置検出部１８から自機の現在位置を取得する。制御部１０は、ステップＳ１０４として、現在位置は対象領域であるかを判定する。具体的には、制御部１０は、現在位置が車両情報Ｄ５の対象領域に含まれている場合に、対象領域であると判定する。制御部１０は、現在位置は対象領域であると判定した場合（ステップＳ１０４でＹｅｓ）、処理をステップＳ１０５に進める。
【００５６】
制御部１０は、ステップＳ１０５として、カメラアプリケーション９ｂを起動させる。カメラアプリケーション９ｂの処理手順については、後述する。制御部１０は、ステップＳ１０６として、通報アプリケーション９ｃを起動させる。通報アプリケーション９ｃの処理については、後述する。制御部１０は、通報アプリケーション９ｃを起動させると、図７に示す処理手順を終了させる。
【００５７】
制御部１０は、現在位置は対象領域ではないと判定した場合（ステップＳ１０４でＮｏ）、処理をステップＳ１０７に進める。制御部１０は、ステップＳ１０７として、配信装置５０から受信した車両情報Ｄ５を破棄する。すなわち、制御部１０は、自機の現在位置が対象領域ではないため、画像情報Ｄ１の検索を行わない。制御部１０は、図７に示す処理手順を終了させる。
【００５８】
図７に示す処理手順は、処理が終了すると、所定のタイミングで制御部１０によって再び起動される。なお、図７に示す処理手順は、携帯端末３０が配信装置５０から車両情報Ｄ５を受信した場合に、制御部１０がステップＳ１０２以降の処理を実行するようにしてもよい。
【００５９】
図８を参照しながら、携帯端末３０によるカメラアプリケーション９ｂに係る処理手順について説明する。図８は、携帯端末３０によるカメラアプリケーション９ｂに係る処理手順の例を示すフローチャートである。図８に示す処理手順は、携帯端末３０の制御部１０がカメラアプリケーション９ｂを起動させることによって実現される。
【００６０】
図８に示すように、携帯端末３０の制御部１０は、ステップＳ１１１として、カメラ１２を起動させる。例えば、制御部１０は、緊急通報および車両情報Ｄ５を表示部２のプレビュー画面に表示させて、ユーザに撮影を促してもよい。制御部１０は、ステップＳ１１２として、カメラ１２によって撮影されたかを判定する。制御部１０は、撮影されていないと判定した場合（ステップＳ１１２でＮｏ）、処理を後述するステップＳ１１４に進める。制御部１０は、撮影されたと判定した場合（ステップＳ１１２でＹｅｓ）、処理をステップＳ１１３に進める。
【００６１】
制御部１０は、ステップＳ１１３として、カメラ１２によって撮影した画像情報Ｄ１を記憶部９に記憶する。その結果、携帯端末３０は、緊急通報に応じてユーザに撮影させた画像情報Ｄ１を記憶部９に記憶させることができる。緊急通報の受信に応じて撮影された画像情報Ｄ１は、利用者が車両情報Ｄ５を認識して撮影した結果であるので、車両情報Ｄ５に対応する車両を含んでいる可能性が高い。
【００６２】
制御部１０は、ステップＳ１１４として、終了するかを判定する。例えば、制御部１０は、カメラアプリケーション９ｂの終了が要求された場合に、終了すると判定する。制御部１０は、終了しないと判定した場合（ステップＳ１１４でＮｏ）、処理を既に説明したステップＳ１１２に戻す。制御部１０は、終了すると判定した場合（ステップＳ１１４でＹｅｓ）、処理をステップＳ１１５に進める。制御部１０は、ステップＳ１１５として、カメラ１２を停止させる。制御部１０は、カメラ１２を停止させると、図８に示す処理手順を終了させる。
【００６３】
図８に示す処理手順は、携帯端末３０がユーザに撮影させる場合について説明したが、これに限定されない。例えば、携帯端末３０は、起動させたカメラ１２によって自動で撮影するようにしてもよい。例えば、携帯端末３０は、画像認識機能を用いて、カメラ１２によって捕らえている画像に車両が含まれている場合に、カメラ１２に撮影させるようにしてもよい。
【００６４】
図９を参照しながら、携帯端末３０による通報アプリケーション９ｃに係る処理手順について説明する。図９は、携帯端末３０による通報アプリケーション９ｃに係る処理手順の例を示すフローチャートである。図９に示す処理手順は、携帯端末３０の制御部１０が通報アプリケーション９ｃを実行することによって実現される。
【００６５】
図９に示すように、携帯端末３０の制御部１０は、ステップＳ１２１として、配信装置５０から受信した車両情報Ｄ５を記憶部９に保存する。制御部１０は、ステップＳ１２２として、カメラ１２による撮影を終了するかを判定する。例えば、制御部１０は、携帯端末３０に対する終了操作を検出した場合に、撮影を終了すると判定する。制御部１０は、撮影を終了しないと判定した場合（ステップＳ１２２でＮｏ）、処理をステップＳ１２２に戻す。これにより、制御部１０は、カメラ１２による撮影を継続させることができる。制御部１０は、撮影を終了すると判定した場合（ステップＳ１２２でＹｅｓ）、処理をステップＳ１２３に進める。
【００６６】
制御部１０は、ステップＳ１２３として、カメラアプリケーション９ｂを終了させる。制御部１０は、ステップＳ１２４として、車両情報Ｄ５に対応する車両を含む画像情報Ｄ１を、記憶部９に記憶している画像情報Ｄ１から検索し、検索結果を記憶部９に記憶する。具体的には、制御部１０は、画像認識機能を用いて、画像情報Ｄ１ごとに車両情報Ｄ５に対応する車両を含んでいるかを解析する。例えば、画像情報Ｄ１が撮影日時の情報を含んでいる場合、制御部１０は、収集対象である撮影日時の画像情報Ｄ１のみを解析してもよい。例えば、画像情報Ｄ１が撮影場所の情報を含んでいる場合、制御部１０は、収集対象の撮影場所に対応した画像情報Ｄ１のみを解析してもよい。例えば、画像情報Ｄ１が撮影日時、撮影場所等の情報を含んでいない場合、制御部１０は、全ての画像情報Ｄ１を解析してもよい。
【００６７】
制御部１０は、ステップＳ１２５として、ステップＳ１２４の検索結果に基づいて、車両情報Ｄ５に対応する車両を含む画像情報Ｄ１は存在したかを判定する。制御部１０は、車両情報Ｄ５に対応する車両を含む画像情報Ｄ１は存在していないと判定した場合（ステップＳ１２５でＮｏ）、図９に示す処理手順を終了させる。
【００６８】
制御部１０は、車両情報Ｄ５に対応する車両を含む画像情報Ｄ１は存在したと判定した場合（ステップＳ１２５でＹｅｓ）、処理をステップＳ１２６に進める。制御部１０は、ステップＳ１２６として、予め設定された連絡先に、車両情報Ｄ５に対応する車両を含む画像情報Ｄ１を送信する。具体的には、制御部１０は、車両情報Ｄ５に対応する車両を含む画像情報Ｄ１を通信部６に送信させる。制御部１０は、画像情報Ｄ１の送信が終了すると、図９に示す処理手順を終了させる。
【００６９】
図１０を参照しながら、配信装置５０による配信に係る処理手順について説明する。図１０は、配信装置５０による配信の例に係る処理手順を示すフローチャートである。図１０に示す処理手順は、配信装置５０の制御部５３が制御プログラム５２ａを実行することによって実現される。図１０に示す処理手順は、車両情報Ｄ５を配信する場合に実行される。
【００７０】
図１０に示すように、配信装置５０の制御部５３は、ステップＳ２０１として、車両情報Ｄ５を生成する。具体的には、制御部５３は、緊急通報する車両を特定するための情報を収集し、収集した情報に基づいて車両情報Ｄ５を生成する。制御部５３は、ステップＳ２０２として、生成した車両情報Ｄ５を配信する。具体的には、制御部５３は、通信部５１を介したプッシュ通知機能を用いて、車両情報Ｄ５を複数の携帯端末３０ａ〜３０ｎに配信する。
【００７１】
制御部５３は、ステップＳ２０３として、携帯端末３０から画像情報Ｄ１を受信したかを判定する。例えば、制御部５３は、ネットワーク９０を介して通信部５１で画像情報Ｄ１を受信している場合に、画像情報Ｄ１を受信したと判定する。制御部５３は、携帯端末３０から画像情報Ｄ１を受信していないと判定した場合（ステップＳ２０３でＮｏ）、処理を後述するステップＳ２０５に進める。制御部５３は、携帯端末３０から画像情報Ｄ１を受信したと判定した場合（ステップＳ２０３でＹｅｓ）、処理をステップＳ２０４に進める。
【００７２】
制御部５３は、ステップＳ２０４として、受信した画像情報Ｄ１を記憶部５２に記憶する。制御部５３は、ステップＳ２０５として、終了するかを判定する。例えば、制御部５３は、車両情報Ｄ５を配信してから所定の時間が経過した場合に、終了すると判定することができる。例えば、制御部５３は、予め定められた画像情報Ｄ１の収集期間が終了した場合に、終了すると判定することができる。
【００７３】
制御部５３は、終了ではないと判定した場合（ステップＳ２０５でＮｏ）、処理を既に説明したステップＳ２０３に戻す。制御部５３は、終了であると判定した場合（ステップＳ２０５でＹｅｓ）、図１０に示す処理手順を終了させる。
【００７４】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【００７５】
上記の実施形態では、携帯端末３０は、配置装置５０から車両情報Ｄ５を受信すると、カメラアプリケーション９ｂを起動させる場合について説明したが、これに限定されない。例えば、携帯端末３０は、配信装置５０から車両情報Ｄ５を受信した際に、通報アプリケーション９ｃのみを起動させ、カメラアプリケーション９ｂを起動させなくてもよい。
【００７６】
上記の実施形態では、携帯端末３０は、車両情報Ｄ５に対応する車両を含む画像情報Ｄ１を自動で連絡先に送信する場合について説明したが、これに限定されない。例えば、携帯端末３０は、車両情報Ｄ５に対応する車両を含む画像情報Ｄ１を連絡先に送信する前に、ユーザに送信の可否を確認してもよい。例えば、携帯端末３０は、画像情報Ｄ１の送信の可否をユーザに確認するメッセージを表示部２およびスピーカ１１の少なくとも一方から出力させることができる。携帯端末３０は、ユーザが画像情報Ｄ１の送信を許可した場合、車両情報Ｄ５に対応する車両を含む画像情報Ｄ１を連絡先に送信することができる。携帯端末３０は、ユーザが送信を許可しなかった場合、車両情報Ｄ５に対応する車両を含む画像情報Ｄ１を連絡先に送信しない。その結果、携帯端末３０は、ユーザが公開したくない画像情報Ｄ１を連絡先に自動で送信することを防止できる。
【００７７】
上記の実施形態では、通報システム１において、配信装置５０が緊急通報を複数の携帯端末３０に送信する場合について説明したが、これに限定されない。例えば、配信装置５０は、緊急通報を送信せずに、車両情報Ｄ５のみを携帯端末３０に送信するようにしてもよい。この場合、携帯端末３０は、受信した車両情報Ｄ５に対応する車両を含む画像情報Ｄ１の検索を自動で行うようにしてもよい。
【００７８】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００７９】
１  通報システム
２  表示部
３  操作部
６  通信部
７  レシーバ
８  マイク
９  記憶部
９ａ  制御プログラム
９ｂ  カメラアプリケーション
９ｃ  通報アプリケーション
９ｚ  設定データ
１０  制御部
１１  スピーカ
１８  位置検出部
３０  携帯端末
５０  配信装置
５１  通信部
５２  記憶部
５３  制御部
５４  表示部
５５  操作部
９０  ネットワーク
Ｄ１  画像情報
Ｄ５  車両情報
【図１】
0006543107.tif 000002
【図２】
0006543107.tif 000003
【図３】
0006543107.tif 000004
【図４】
0006543107.tif 000005
【図５】
0006543107.tif 000006
【図６】
0006543107.tif 000007
【図７】
0006543107.tif 000008
【図８】
0006543107.tif 000009
【図９】
0006543107.tif 000010
【図１０】
0006543107.tif 000011